【手続補正書】
【提出日】平成17年8月12日(2005.8.12)
【手続補正１】
【補正対象書類名】特許請求の範囲
【補正対象項目名】全文
【補正方法】変更
【補正の内容】
【特許請求の範囲】
【請求項１】
光源手段と、該光源手段から出射した光束を偏向手段に入射させる入射光学系と、該偏向手段で反射偏向された光束を被走査面上に結像させる結像光学系と、該偏向手段と該被走査面との間の光路内に配した複数の反射ミラーを有する反射部と、を有する光走査装置において、
前記複数の反射ミラーの夫々の主走査断面内のパワーをφｍとするとき、いずれの反射ミラーも
−0.0002＜φｍ＜0.0002
なる条件を満たし、
前記反射部を構成する前記複数の反射ミラーは、主走査断面内のパワーが正の反射ミラーと主走査断面内のパワーが負の反射ミラーを含んでいることを特徴とする光走査装置。
【請求項２】
光源手段と、該光源手段から出射した光束を偏向手段に入射させる入射光学系と、該偏向手段で反射偏向された光束を被走査面上に結像させる結像光学系と、該偏向手段と該被走査面との間の光路内に配した複数の反射ミラーを有する反射部と、を有する光走査装置において、
前記複数の反射ミラーの夫々の主走査断面内のパワーをφｍとするとき、いずれの反射ミラーも
−0.0002＜φｍ＜0.0002
なる条件を満たし、
該複数の反射ミラーは、主走査断面内のパワーが正の反射ミラーと主走査断面内のパワーが負の反射ミラーが含まれるように支持手段で固定支持されていることを特徴とする光走査装置。
【請求項３】
前記反射ミラーの主走査断面内のパワーが正のときをΨｐ、前記反射ミラーの主走査断面内のパワーが負のときをΨｍとし、前記複数の反射ミラーの主走査断面内のパワーのうち、同一符号のパワーの合計を各々ΣΨｐ、ΣΨｍとするとき、
０．９＜｜ΣΨｐ／ΣΨｍ｜＜１．１
なる条件を満たすことを特徴とする請求項１又は２に記載の光走査装置。
【請求項４】
光源手段と、該光源手段から出射した光束を偏向手段に入射させる入射光学系と、該偏向手段で反射偏向された光束を被走査面上に結像させる結像光学系と、該偏向手段と該被走査面との間の光路内に配した複数の反射ミラーを有する反射部と、を有する光走査装置において、
前記複数の反射ミラーの夫々の主走査断面内のパワーをφｍとするとき、いずれの反射ミラーも
−0.0002＜φｍ＜0.0002
なる条件を満たし、
該複数の反射ミラーは、主走査断面内のパワーが正の反射ミラーと主走査断面内のパワーが負の反射ミラーが含まれるように支持手段で固定支持され、
前記複数の反射ミラーは、各々、該反射ミラーの反射面と該反射ミラーの裏面の２方向から該支持手段で支持されていることを特徴とする光走査装置。
【請求項５】
光源手段と、該光源手段から出射した光束を偏向手段に入射させる入射光学系と、該偏向手段で反射偏向された光束を被走査面上に結像させる結像光学系と、該偏向手段と該被走査面との間の光路内に配した複数の反射ミラーを有する反射部と、を有する光走査装置において、
前記複数の反射ミラーの夫々の主走査断面内のパワーをφｍとするとき、いずれの反射ミラーも
−0.0002＜φｍ＜0.0002
なる条件を満たし、
該複数の反射ミラーは、主走査断面内のパワーが正の反射ミラーと主走査断面内のパワーが負の反射ミラーが含まれるように支持手段で固定支持され、
前記複数の反射ミラーは、各々、該反射ミラーの反射面と該反射ミラーの裏面の２方向から該支持手段で該反射面と該裏面との支持位置が主走査方向で互いに異なるように支持されていることを特徴とする光走査装置。
【請求項６】
前記反射ミラーの副走査断面内のパワーが正のときをΨｐｓ、前記反射ミラーの副走査断面内のパワーが負のときをΨｍｓとし、前記複数の反射ミラーの屈折力のうち、同一符号のパワーの合計を各々ΣΨｐｓ、ΣΨｍｓとするとき、
０．９＜｜ΣΨｐｓ／ΣΨｍｓ｜＜１．１
なる条件を満たすことを特徴とする請求項１乃至５の何れか一項に記載の光走査装置。
【請求項７】
前記複数の反射ミラーの夫々の副走査断面内のパワーをφｓとするとき、いずれの反射ミラーも
−0.0002＜φｓ＜0.0002
なる条件を満たすことを特徴とする請求項１乃至６の何れか一項に記載の光走査装置。
【請求項８】
請求項１乃至７の何れか１項に記載の光走査装置と、前記被走査面に配置された感光体と、前記光走査装置で走査された光ビームによって前記感光体上に形成された静電潜像をトナー像として現像する現像器と、現像されたトナー像を被転写材に転写する転写器と、転写されたトナー像を被転写材に定着させる定着器とを有することを特徴とする画像形成装置。
【請求項９】
請求項１乃至７のいずれか１項に記載の光走査装置と、外部機器から入力したコードデータを画像信号に変換して前記光走査装置に入力せしめるプリンタコントローラとを有していることを特徴とする画像形成装置。
【請求項１０】
各々が請求項１乃至７の何れか１項に記載の光走査装置の被走査面に配置され、互いに異なった色の画像を形成する複数の像担持体とを有することを特徴とするカラー画像形成装置。
【請求項１１】
外部機器から入力した色信号を異なった色の画像データに変換して各々の光走査装置に入力せしめるプリンタコントローラを有していることを特徴とする請求項１０記載のカラー画像形成装置。
【手続補正２】
【補正対象書類名】明細書
【補正対象項目名】００１４
【補正方法】変更
【補正の内容】
【００１４】
請求項１の発明の光走査装置は、光源手段と、該光源手段から出射した光束を偏向手段に入射させる入射光学系と、該偏向手段で反射偏向された光束を被走査面上に結像させる結像光学系と、該偏向手段と該被走査面との間の光路内に配した複数の反射ミラーを有する反射部と、を有する光走査装置において、
前記複数の反射ミラーの夫々の主走査断面内のパワーをφｍとするとき、いずれの反射ミラーも
−0.0002＜φｍ＜0.0002
なる条件を満たし、
前記反射部を構成する前記複数の反射ミラーは、主走査断面内のパワーが正の反射ミラーと主走査断面内のパワーが負の反射ミラーを含んでいることを特徴としている。
【手続補正３】
【補正対象書類名】明細書
【補正対象項目名】００１５
【補正方法】変更
【補正の内容】
【００１５】
請求項２の発明の光走査装置は、光源手段と、該光源手段から出射した光束を偏向手段に入射させる入射光学系と、該偏向手段で反射偏向された光束を被走査面上に結像させる結像光学系と、該偏向手段と該被走査面との間の光路内に配した複数の反射ミラーを有する反射部と、を有する光走査装置において、
前記複数の反射ミラーの夫々の主走査断面内のパワーをφｍとするとき、いずれの反射ミラーも
−0.0002＜φｍ＜0.0002
なる条件を満たし、
該複数の反射ミラーは、主走査断面内のパワーが正の反射ミラーと主走査断面内のパワーが負の反射ミラーが含まれるように支持手段で固定支持されていることを特徴としている。
【手続補正４】
【補正対象書類名】明細書
【補正対象項目名】００１６
【補正方法】変更
【補正の内容】
【００１６】
請求項３の発明は、請求項１又は２の発明において、前記反射ミラーの主走査断面内のパワーが正のときをΨｐ、前記反射ミラーの主走査断面内のパワーが負のときをΨｍとし、前記複数の反射ミラーの主走査断面内のパワーのうち、同一符号のパワーの合計を各々ΣΨｐ、ΣΨｍとするとき、
０．９＜｜ΣΨｐ／ΣΨｍ｜＜１．１
なる条件を満たすことを特徴としている。
【手続補正５】
【補正対象書類名】明細書
【補正対象項目名】００１７
【補正方法】変更
【補正の内容】
【００１７】
請求項４の発明の光走査装置は、光源手段と、該光源手段から出射した光束を偏向手段に入射させる入射光学系と、該偏向手段で反射偏向された光束を被走査面上に結像させる結像光学系と、該偏向手段と該被走査面との間の光路内に配した複数の反射ミラーを有する反射部と、を有する光走査装置において、
前記複数の反射ミラーの夫々の主走査断面内のパワーをφｍとするとき、いずれの反射ミラーも
−0.0002＜φｍ＜0.0002
なる条件を満たし、
該複数の反射ミラーは、主走査断面内のパワーが正の反射ミラーと主走査断面内のパワーが負の反射ミラーが含まれるように支持手段で固定支持され、
前記複数の反射ミラーは、各々、該反射ミラーの反射面と該反射ミラーの裏面の２方向から該支持手段で支持されていることを特徴としている。
【手続補正６】
【補正対象書類名】明細書
【補正対象項目名】００１８
【補正方法】変更
【補正の内容】
【００１８】
請求項５の発明の光走査装置は、光源手段と、該光源手段から出射した光束を偏向手段に入射させる入射光学系と、該偏向手段で反射偏向された光束を被走査面上に結像させる結像光学系と、該偏向手段と該被走査面との間の光路内に配した複数の反射ミラーを有する反射部と、を有する光走査装置において、
前記複数の反射ミラーの夫々の主走査断面内のパワーをφｍとするとき、いずれの反射ミラーも
−0.0002＜φｍ＜0.0002
なる条件を満たし、
該複数の反射ミラーは、主走査断面内のパワーが正の反射ミラーと主走査断面内のパワーが負の反射ミラーが含まれるように支持手段で固定支持され、
前記複数の反射ミラーは、各々、該反射ミラーの反射面と該反射ミラーの裏面の２方向から該支持手段で該反射面と該裏面との支持位置が主走査方向で互いに異なるように支持されていることを特徴としている。
【手続補正７】
【補正対象書類名】明細書
【補正対象項目名】００１９
【補正方法】変更
【補正の内容】
【００１９】
請求項６の発明は、請求項１乃至５のいずれか１項の発明において、前記反射ミラーの副走査断面内のパワーが正のときをΨｐｓ、前記反射ミラーの副走査断面内のパワーが負のときをΨｍｓとし、前記複数の反射ミラーの屈折力のうち、同一符号のパワーの合計を各々ΣΨｐｓ、ΣΨｍｓとするとき、
０．９＜｜ΣΨｐｓ／ΣΨｍｓ｜＜１．１
なる条件を満たすことを特徴としている。
【手続補正８】
【補正対象書類名】明細書
【補正対象項目名】００２０
【補正方法】変更
【補正の内容】
【００２０】
請求項７の発明は、請求項１乃至６のいずれか１項の発明において、前記複数の反射ミラーの夫々の副走査断面内のパワーをφｓとするとき、いずれの反射ミラーも
−0.0002＜φｓ＜0.0002
なる条件を満たすことを特徴としている。
【手続補正９】
【補正対象書類名】明細書
【補正対象項目名】００２１
【補正方法】変更
【補正の内容】
【００２１】
請求項８の発明の画像形成装置は、請求項１乃至７の何れか１項に記載の光走査装置と、前記被走査面に配置された感光体と、前記光走査装置で走査された光ビームによって前記感光体上に形成された静電潜像をトナー像として現像する現像器と、現像されたトナー像を被転写材に転写する転写器と、転写されたトナー像を被転写材に定着させる定着器とを有することを特徴としている。
【手続補正１０】
【補正対象書類名】明細書
【補正対象項目名】００２２
【補正方法】変更
【補正の内容】
【００２２】
請求項９の発明の画像形成装置は、請求項１乃至７のいずれか１項に記載の光走査装置と、外部機器から入力したコードデータを画像信号に変換して前記光走査装置に入力せしめるプリンタコントローラとを有していることを特徴としている。
【手続補正１１】
【補正対象書類名】明細書
【補正対象項目名】００２３
【補正方法】変更
【補正の内容】
【００２３】
請求項１０の発明のカラー画像形成装置は、各々が請求項１乃至７の何れか１項に記載の光走査装置の被走査面に配置され、互いに異なった色の画像を形成する複数の像担持体とを有することを特徴としている。
【手続補正１２】
【補正対象書類名】明細書
【補正対象項目名】００２４
【補正方法】変更
【補正の内容】
【００２４】
請求項１１の発明は、請求項１０の発明において、外部機器から入力した色信号を異なった色の画像データに変換して各々の光走査装置に入力せしめるプリンタコントローラを有していることを特徴としている。
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】